(57)【要約】      （修正有）【課題】荷物を取り出したり収納したりすることが便利なスーツケースを提供する。【解決手段】本体は、回動自在に接続されている上部本体１０１と下部本体１０２とを含み、上部本体１０１及び下部本体１０２は、囲んで収納チャンバーを形成可能であり、仕切り板は、上部仕切り板１０３及び下部仕切り板１０４を含み、上部仕切り板１０３は上部本体１０１内に設置され、下部仕切り板１０４は下部本体１０２内に設置されており、本体が展開された状態で、上部仕切り板１０３は下部本体１０２に向けて回動可能であり、下部仕切り板１０４は上部本体１０１に向けて回動可能である。上部仕切り板１０３及び下部仕切り板１０４により、本体の収納チャンバーを複数のスペースに分割し、分割した後の空間の体積がさらにコンパクト化されて荷物を容易に固定することができる。上部本体１０１及び下部本体１０２は回動によって開閉され、上部仕切り板１０３及び下部仕切り板１０４は、それぞれ上部本体１０１及び下部本体１０２内に回動接続される。【選択図】図１
0003208054.tif 000002
【実用新案登録請求の範囲】
【請求項１】
本体及び仕切り板を備えるスーツケースにおいて、
前記本体は、回動自在に接続されている上部本体と下部本体とを含み、
前記上部本体及び前記下部本体は、囲んで収納チャンバーを形成可能であり、
前記仕切り板は、上部仕切り板及び下部仕切り板を含み、前記上部仕切り板は前記上部本体内に設置され、前記下部仕切り板は前記下部本体内に設置されており、
前記本体が展開された状態で、前記上部仕切り板は前記下部本体に向けて回動可能であり、前記下部仕切り板は前記上部本体に向けて回動可能である、
ことを特徴とするスーツケース。
【請求項２】
前記仕切り板及び前記本体の間は、接続バンドセットを介して接続され、前記接続バンドセットは、２セット有し、それぞれ前記下部本体及び前記上部本体内に接続され、
前記本体は、対向する第１の側壁及び第２の側壁を含み、前記上部本体と前記下部本体との間の回動中心線は、前記第２の側壁に設置され、それぞれの前記接続バンドセットは、第１のバンドセット及び第２のバンドセットを含み、前記仕切り板は、前記第１のバンドセットを介して前記第１の側壁に着脱可能に接続され、前記仕切り板は、前記第２のバンドセットを介して前記第２の側壁に回動接続され、
前記仕切り板の前記第２の側壁から離れる側が第１の側辺であり、前記仕切り板の前記第２の側壁に近い側が第２の側辺であり、
前記第１のバンドセットと前記仕切り板が分離状態になるとき、前記上部仕切り板及び前記下部仕切り板は回動可能であり、前記上部仕切り板の第１の側辺と前記下部仕切り板の第１の側辺は回動過程で互いに支持される、
ことを特徴とする請求項１に記載のスーツケース。
【請求項３】
前記上部仕切り板及び前記下部仕切り板は、それぞれ前記第２のバンドセットと着脱可能に接続される、
ことを特徴とする請求項２に記載のスーツケース。
【請求項４】
前記着脱可能な接続は、ベルクロ接続又はボタン接続である、
ことを特徴とする請求項３に記載のスーツケース。
【請求項５】
前記上部仕切り板及び前記下部仕切り板には、ベルクロのループ面及びフック面がそれぞれ設けられ、前記上部仕切り板の第１の側辺と前記下部仕切り板の第１の側辺が互いに支持されるとき、前記ループ面と前記フック面が互いに接触される、
ことを特徴とする請求項３に記載のスーツケース。
【請求項６】
それぞれの前記接続バンドセットは接続段をさらに含み、前記第１のバンドセット及び前記第２のバンドセットは、それぞれ前記接続段に接続されるか、又は一体的に成形され、前記接続段は荷物を固定又は押し付けるためのものである、
ことを特徴とする請求項３に記載のスーツケース。
【請求項７】
前記接続段は三角形を呈し、前記三角形の２つの頂点は前記第２の側壁に位置されるとともに、他の１つの頂点は前記第１の側壁に位置され、前記第１のバンドセット及び前記第２のバンドセットは、それぞれ前記頂点で固定される、
ことを特徴とする請求項６に記載のスーツケース。
【請求項８】
前記接続バンドセットは、前記三角形の３つの頂点で前記本体に固定される、
ことを特徴とする請求項７に記載のスーツケース。
【請求項９】
２つの前記接続バンドセットの接続段は、それぞれ前記上部仕切り板と前記上部本体との間、及び前記下部仕切り板と前記下部本体との間に設置される、
ことを特徴とする請求項６に記載のスーツケース。
【請求項１０】
前記仕切り板は四角形を呈し、前記仕切り板の４つのコーナーには、それぞれノッチが設置されている、
ことを特徴とする請求項１に記載のスーツケース。
【考案の詳細な説明】
【技術分野】
【０００１】
本考案は、バッグの分野に関し、より詳しくは、スーツケースに関する。
【背景技術】
【０００２】
現在、社会のリズムが速く、経済や科学技術の発展につれて、人々の日常的な外出が益々多くなっている。旅行、出国休暇、出張、友人の訪問、留学、帰郷などの現象は、非常に通常的になっている。外出する回数が増加するにつれて物品を収納するスーツケースが人々の必需品となっている。
【０００３】
外出するとき、必要な荷物が比較的多いため、スーツケースの体積も益々大きくなっている。収納する物品が比較的多い場合、内部の物品を押し付けて固定しなければならない。従来のスーツケースは、内部チャンバー内に仕切り板を追加して収納用チャンバーを複数のスペースに分けて、収納作用を発揮できるようにする手段が普通である。
【０００４】
考案者は、研究の過程で、従来技術の仕切り板は３点固定モードを使用し、仕切り板は本体の底部から本体の頂部に向ける方向に沿って開かれており、このような開き方は、仕切り板が開かれる過程で、支持を受けることができず、仕切り板を完全に展開しなければならないため、地面と接触して仕切り板が汚れてしまうし、且つ、このような開き方は、仕切り板を開閉する過程で、ユーザーが常に本体に対して自分の位置を変更する必要があるため、ユーザーの操作が不便になる、ということを見つけた。
【考案の概要】
【考案が解決しようとする課題】
【０００５】
本考案の目的は、従来技術のスーツケースの収納能力を向上させることができるスーツケースを提供することである。
【課題を解決するための手段】
【０００６】
本考案は、下記のような技術手段によって実現する。
【０００７】
本体及び仕切り板を備えるスーツケースにおいて、
前記本体は、回動自在に接続されている上部本体と下部本体とを含み、前記上部本体及び前記下部本体は、囲んで収納チャンバーを形成可能であり、前記仕切り板は、上部仕切り板及び下部仕切り板を含み、前記上部仕切り板は前記上部本体内に設置され、前記下部仕切り板は前記下部本体内に設置されており、
前記本体が展開された状態で、前記上部仕切り板は前記下部本体に向けて回動可能であり、前記下部仕切り板は前記上部本体に向けて回動可能である。
【０００８】
追加された上部仕切り板及び下部仕切り板によって、本体の収納チャンバーを複数のスペースに分割し、分割した後の空間の体積がさらにコンパクト化されて、荷物を容易に固定する。上部本体及び下部本体は回動によって開閉され、上部仕切り板及び下部仕切り板は、それぞれ上部本体及び下部本体内に回動接続され、２つの仕切り板のそれぞれは、中間に向かって回動することができて、支持や制御に便利になり、ユーザーが収納チャンバーから荷物を取り出したり収納したりすることが便利になる。
【０００９】
さらに、前記仕切り板及び前記本体の間は、接続バンドセットを介して接続され、前記接続バンドセットは、２セット有し、それぞれ前記下部本体及び前記上部本体内に接続され、
前記本体は、対向する第１の側壁及び第２の側壁を含み、前記上部本体と前記下部本体との間の回動中心線は、前記第２の側壁に設置され、それぞれの前記接続バンドセットは、第１のバンドセット及び第２のバンドセットを含み、前記仕切り板は、前記第１のバンドセットを介して前記第１の側壁に着脱可能に接続され、前記仕切り板は、前記第２のバンドセットを介して前記第２の側壁に回動接続され、
前記仕切り板の前記第２の側壁から離れる側が第１の側辺であり、前記仕切り板の前記第２の側壁に近い側が第２の側辺であり、
前記第１のバンドセットと前記仕切り板が分離状態になるとき、前記上部仕切り板及び前記下部仕切り板は回動可能であり、前記上部仕切り板の第１の側辺と前記下部仕切り板の第１の側辺は回動過程で互いに支持される。
【００１０】
接続バンドセットを仕切り板に接続させることで、仕切り板が回動することが便利になり、第１のバンドセット及び第２のバンドセットは、それぞれ仕切り板の両側を第１の側壁及び第２の側壁に接続し、第２の側壁は、上部本体及び下部本体の回動軸が属する区域であり、第１の側壁は、本体の第２の側壁に対向する側壁であり、上部仕切り板及び下部仕切り板は、それぞれ第２の側壁及び第１の側壁に接続されることで本体に固定されて、仕切り板の着脱が便利になる。上部仕切り板及び下部仕切り板は、いずれも第１のバンドセットと分離し、第２のバンドセットを介して本体に動的に接続されることができ、上部仕切り板及び下部仕切り板が第１のバンドセットと分離されるとき、上部仕切り板及び下部仕切り板の第１の側辺が回動可能であり、回動過程で、上部仕切り板及び下部仕切り板の第１の側辺が互いに支持されて、２つの仕切り板が起立状態を維持することができ、第２の側壁が２つの仕切り板の間に位置する。２つの仕切り板が起立するとき、収納チャンバーが完全に露出され、ユーザーが上部本体及び下部本体に荷物を収納することが便利になる。このような接続方法によれば、ユーザーは自分のスーツケースに対する相対的な位置を変更する必要がなく、仕切り板を起立させたり横にさせたりすることができ、操作が便利になる。また、仕切り板は収納チャンバーから脱離したり、地面と接触したりすることを防止できる。
【００１１】
さらに、前記上部仕切り板及び前記下部仕切り板は、それぞれ前記第２のバンドセットと着脱可能に接続されている。
【００１２】
仕切り板と第２のバンドセットとの間も着脱可能に接続され、ユーザーが便利に仕切り板を取り外してスーツケースを整理することができる。
【００１３】
さらに、前記着脱可能な接続は、ベルクロ接続又はボタン接続である。
【００１４】
ベルクロ及びボタンはよく使われる着脱可能な接続手段である。ベルクロの使用方式が簡単であり、繰り返して使用することができ、接続位置を調節することが便利である。また、ボタンは、位置決めの精度が高く、使い方が簡単である。
【００１５】
さらに、前記上部仕切り板及び前記下部仕切り板には、ベルクロのループ面及びフック面がそれぞれ設けられ、前記上部仕切り板の第１の側辺と前記下部仕切り板の第１の側辺が互いに支持されるとき、前記ループ面と前記フック面が互いに接触される。
【００１６】
上部仕切り板及び下部仕切り板に対応するベルクロが設けられており、２つの仕切り板が互いに支持されて起立されるとき、ベルクロのループ面及びフック面が附着固定されることにより、２つの仕切り板が起立された状態を維持することができる。
【００１７】
さらに、それぞれの前記接続バンドセットは接続段をさらに含み、前記第１のバンドセット及び前記第２のバンドセットは、それぞれ前記接続段に接続されるか、又は前記接続段と一体的に成形され、前記接続段は荷物を固定又は押し付けるためのものである。
【００１８】
接続段は、荷物をスーツケース内に拘束させるためのものであり、荷物は、まず接続段によって収納チャンバー内で予め押し付けられ、続いて、仕切り板によって荷物をより一層押し付けることで、小さな物品が収納チャンバー内で自由に移動することを防止できるとともに、収納チャンバーの利用率を向上させることができ、ふわふわした荷物の体積を圧縮させて、本体が多くの荷物を収納できる。
【００１９】
さらに、前記接続段は三角形を呈し、前記三角形の２つの頂点は前記第２の側壁に位置されるとともに、他の１つの頂点は前記第１の側壁に位置され、前記第１のバンドセット及び前記第２のバンドセットは、それぞれ前記頂点で固定される。
【００２０】
接続段が囲まれて形成された三角形の区域は、荷物に対して確実に拘束することができ、また、三角形の３つの頂点は、いずれも第２の側壁及び第１の側壁に位置されて、接続段の必要な長さが比較的短くなる。
【００２１】
さらに、前記接続バンドセットは、前記三角形の３つの頂点で前記本体に固定される。
【００２２】
接続バンドセットは３つの頂点の区域のみを介して本体に固定接続されることで、接続バンドセットの中間区域に荷物を詰め込んで固定することができる。
【００２３】
さらに、２つの前記接続バンドセットの接続段は、それぞれ前記上部仕切り板と前記上部本体との間の隙間、及び前記下部仕切り板と前記下部本体との間の隙間に設置される。
【００２４】
仕切り板及び荷物は、それぞれ接続段の両側に位置するので、荷物を収納するとき、互いに干渉しない。
【００２５】
さらに、前記仕切り板は四角形を呈し、前記仕切り板の４つのコーナーには、それぞれノッチが設置されている。
【００２６】
仕切り板の４つのコーナーにはノッチが設けられていることにより、仕切り板を上部本体及び下部本体内に設置することが便利になる。また、本体の側壁接続部位には面取り又はＲ加工が実施される可能性があるとともに、本体の底部にキャスター車輪を設けると、本体内部の空間を占めるので、仕切り板の４つのコーナーに、それぞれノッチを設けてスペースのサイズに適応することができる。
【考案の効果】
【００２７】
本考案によれば、下記のような有益な効果を獲得することができる。即ち、
本体内に接続バンドセットを設置するとともに、接続バンドセットによって仕切り板を拘束するので、仕切り板の位置を便利に調整することができ、荷物を収納したり、取り出したりするとき、仕切り板を取り外す必要がなく、さらに便利になる。上部本体及び下部本体は回動によって開閉され、上部仕切り板及び下部仕切り板は、それぞれ接続バンドセットを介して上部本体及び下部本体内に接続されることにより、ユーザーが収納チャンバーから荷物を容易に取り出したり収納したりすることができる。さらに、２つの仕切り板を開いたとき、互いに支持されて起立できて、ユーザーがより容易に仕切り板の状態を調節することができる。
【図面の簡単な説明】
【００２８】
本考案の実施形態に係る技術手段をさらに明確に説明するために、下記の実施例の記述に必要な図面について簡単に紹介する。なお、以下の図面は、単に本考案の一部の実施例のみを示すものに過ぎず、権利範囲に対する限定と見なしてはいけない。また、当業者が創造的な行為をしない前提で、これらの図面に基づいて他の図面を取得することができる。
【００２９】
【図１】本考案の実施例１によるスーツケースの構成模式図である。
【図２】図１における本体の構成模式図である。
【図３】本体及び仕切り板の構成模式図である。
【図４】接続バンドセットの構成模式図である。
【図５】図１における仕切り板が起立したときの構成模式図である。
【図６】図１におけるベルクロ接続を示す模式図である。
【図７】本考案の実施例２によるスーツケースのボタン接続を示す模式図である。
【考案を実施するための形態】
【００３０】
本考案の実施例の目的、技術手段、及び利点をさらに明確にするため、以下、本考案の実施例における図面を参照しながら、本考案の技術手段について明確且つ完全に説明する。なお、説明した実施例は、本考案の一部の実施例に過ぎず、全体の実施例ではない。一般的に、図面において説明するとともに図示した本考案の実施例の要素は、様々な異なる配置を介して設置及び設計されてもよい。従って、以下の図面で提供される本考案の実施例の詳細な説明は、本考案の保護範囲を限定するものではなく、本考案の選定された実施例を表示するだけである。当業者が本考案の実施例に基づいて、創造的な行為をしない前提下で獲得できるすべての他の実施例は、本考案の保護範囲に属する。
【００３１】
本考案の説明において、「中心」、「縦方向」、「横方向」、「長さ」、「幅」、「厚さ」、「上」、「下」、「前」、「後」、「左」、「右」、「垂直」、「水平」、「頂 」、「底 」、「内」、「外」、「時計回り」、「反時計回り」などの用語が意味する方向や位置関係は、図面に示された方向又は位置関係を基礎とする。本考案の説明の便宜のために使用したものであるだけであって、所定のデバイス又は素子が必ず特定の方向を備え、特定の方向に構成されたり操作されたりすることを指示又は暗示するものではないため、本考案に対する限定であると理解してはいけない。
【００３２】
また、「第１」、「第２」は、説明の便宜のためにのみ使用され、相対的な重要性を指示したり、暗示するものではなく、又は所定の技術的特徴の数量を暗示するものではないことが理解されるべきである。そのため、「第１」、「第２」で限定した特徴は、１つ以上の前記特徴を含んでいることを明示又は暗示する。本考案の説明において、「複数」の意味は、別に明確且つ具体的な限定がない場合、２つ以上を含む。
【００３３】
本考案の別に明確な規定及び限定がない限り、「取り付け」、「相互に接続される」、「接続」、「固定」などの用語は、広い意味で理解しなければならない。例えば、固定的接続であってもよく、着脱可能な接続であってもよい。又は、一体的であってもよい。また、機械的な接続であってもよく、電気的な接続であってもよく、直接的な接続であっても、中間媒体を介する間接的に接続であってもよい。また、２つの要素の内部の連通であってもよく、２つの要素の相互作用関係であってもよい。当業者であれば、具体的な状況に応じて、前記用語の本考案における具体的な意味を理解することができる。
【００３４】
本考案において、別に明確な規定及び限定がない限り、第１の特徴が第２の特徴の「上」又は「下」に位置することは、第１及び第２の特徴の直接的な接触や、第１及び第２の特徴が直接的に接触せず、これらの間の別の特徴を介して接触されることも含む。また、第１の特徴が第２の特徴の「上」、「上部」又は「上面」に位置することは、第１の特徴が第２の特徴の真上及び斜上方に位置することや、単に第１の特徴の水平高さが第２の特徴よりも高いことを意味する。第１の特徴が第２の特徴の「下」、「下方」又は「下面」に位置することは、第１の特徴が第２の特徴の直下及び斜下方に位置することや、単に第１の特徴の水平高さが第２の特徴よりも低いことを意味する。
【００３５】
（実施例１）
図１乃至図６を参照すると、本考案の実施例は、本体、仕切り板、及び接続バンドセットを含むスーツケースを提供する。
【００３６】
本体は、回動接続された上部本体１０１及び下部本体１０２を含み、上部本体１０１及び下部本体１０２は囲んで密閉された収納チャンバーを形成することができる。
【００３７】
本体は、対向している第１の側壁１０８及び第２の側壁１０９を含み、上部本体１０１と下部本体１０２との間の回動中心線は第２の側壁１０９に設置される。
【００３８】
接続バンドセットは、２セット有し、下部本体１０２及び上部本体１０１内にそれぞれ１セットずつ設置される。
【００３９】
それぞれの接続バンドセットは、接続段１０７、第１のバンドセット１０５及び第２のバンドセット１０６を含み、仕切り板は第１のバンドセット１０５を介して第１の側壁１０８に接続されるとともに、第２のバンドセット１０６を介して第２の側壁１０９に接続される。
【００４０】
第１のバンドセット１０５及び第２のバンドセット１０６は、それぞれ仕切り板の両側を第１の側壁１０８及び第２の側壁１０９に接続させる。第２の側壁１０９は、上部本体１０１及び下部本体１０２の回動軸が位置する区域であり、第１の側壁１０８は、本体の、第２の側壁１０９と正対向する側壁であり、上部仕切り板１０３及び下部仕切り板１０４は、それぞれ第２の側壁１０９及び第１の側壁１０８に接続されることで本体に固定され、仕切り板の着脱が便利になる。
【００４１】
それぞれの接続バンドセットは、接続段１０７をさらに含み、第１のバンドセット１０５及び第２のバンドセット１０６は、それぞれ接続段１０７に接続又は一体に成形され、接続段１０７は、荷物を固定または押し付けるように構成される。
【００４２】
接続段１０７は、荷物をスーツケース内に拘束するように構成され、荷物は、まず、接続段１０７により収納チャンバー内で予め押し付けられ、続いて、仕切り板により荷物をより一層押し付けて、小さな物品が収納チャンバー内で自由に移動することを防止するとともに、収納チャンバー内の利用率を向上させることができ、ふわふわした荷物の体積を圧縮させて、本体が多くの荷物を収納することができる。
【００４３】
接続段１０７は、三角形状に配置され、三角形の２つの頂点が第２の側壁１０９に位置されるとともに、他の１つの頂点は、第１の側壁１０８に位置され、第１のバンドセット１０５及び第２のバンドセット１０６は、それぞれ頂点に固定される。接続バンドセットは、三角形の３つの頂点で本体に固定される。
【００４４】
本実施例では、それぞれの接続バンドセットの第１のバンドセット１０５は、１つの接続バンドを含み、第２のバンドセット１０６は、２つの接続バンドを含む。それぞれの接続バンドセットの３つの接続バンドは、それぞれ、接続段１０７が囲んでなる三角形の３つの頂点に設置される。
【００４５】
本実施例では、接続段１０７、第１のバンドセット１０５及び第２のバンドセット１０６が一体に成形される。
【００４６】
接続バンドセットは、３つの頂点の区域のみを介して本体に固定接続され、接続段１０７が囲んでなる三角形の区域は、荷物に対して確実に拘束することができ、また、三角形の３つの頂点は、第２の側壁１０９及び第１の側壁１０８に位置され、接続段１０７が需要する長さが比較的短くなる。
【００４７】
また、接続段、第１のバンドセット及び第２のバンドセットの間は、縫製を介して固定されてもよい。
【００４８】
仕切り板と本体との間は、接続バンドセットを介して接続される。仕切り板は、上部仕切り板１０３及び下部仕切り板１０４を含み、上部仕切り板１０３は、上部本体１０１内に設置され、下部仕切り板１０４は、下部本体１０２内に設置される。
【００４９】
追加した上部仕切り板１０３及び下部仕切り板１０４により、本体の収納チャンバーを複数のスペースに分割し、分割した後の空間の体積は、さらに緻密されて、荷物の固定が便利になる。接続バンドセットにより仕切り板を固定することで、仕切り板位置の調節が便利になり、荷物を収納したり、取り出したりするとき、下部仕切り板１０４を除去する必要がなくなり、さらに便利になる。上部本体１０１及び下部本体１０２は回動により開閉され、上部仕切り板１０３及び下部仕切り板１０４は、それぞれ接続バンドセットを介して上部本体１０１及び下部本体１０２内に接続されて、ユーザーが収納チャンバーから荷物を取り出すことが便利になる。
【００５０】
２つの接続バンドセットの接続段１０７は、それぞれ上部仕切り板１０３と上部本体１０１との間の間隔、及び下部仕切り板１０４と下部本体１０２との間の間隔に設置される。仕切り板及び荷物は、それぞれ接続段１０７の両側に位置され、荷物を収納するときに、互いに干渉しない。
【００５１】
上部仕切り板１０３及び下部仕切り板１０４は、それぞれ第１のバンドセット１０５と着脱可能に接続される。本実施例では、ベルクロ１１３を利用して着脱可能な接続を実現する。ベルクロは、よく使われる着脱可能な接続手段である。ベルクロ１１３は、使用方法が簡単であり、繰り返して使用でき、接続位置の調節が便利になる。
【００５２】
仕切り板の第２の側壁１０９から離れる側が第１の側辺１１１であり、第２の側壁１０９に近い側が第２の側辺１１０である。
【００５３】
第１のバンドセット１０５及び仕切り板が分離状態になると、上部仕切り板１０３及び下部仕切り板１０４が回動可能になり、上部仕切り板１０３の第１の側辺１１１と下部仕切り板１０４の第１の側辺１１１が回動過程で互いに支持される。
【００５４】
上部仕切り板１０３及び下部仕切り板１０４は、それぞれ第１のバンドセット１０５と分離されることができ、第２のバンドセット１０６を介して本体に動的に接続される。上部仕切り板１０３及び下部仕切り板１０４と第１のバンドセット１０５との接続が分離されると、上部仕切り板１０３及び下部仕切り板１０４の第１の側辺１１１が回動でき、回動する過程で、上部仕切り板１０３及び下部仕切り板１０４の第１の側辺１１１が互いに支持されて、２つの仕切り板が起立された姿勢を維持することができる。第２の側壁１０９は、２つの仕切り板の間に位置される。２つの仕切り板が起立されると、収納チャンバーが完全に露出されて、ユーザーが上部本体１０１及び下部本体１０２に対して荷物を容易に収納することができる。このような接続方式は、ユーザーが自分のスーツケースに対する相対的な位置を変更せずに、下部仕切り板１０４を起立させたり横にしたりすることができるので、操作が簡単になり、仕切り板が収納チャンバー内から脱離したり、地面と接触することを防止することができる。
【００５５】
上部仕切り板１０３及び下部仕切り板１０４には、それぞれベルクロ１１３のループ面及びフック面が設置され、上部仕切り板１０３の第１の側辺１１１及び下部仕切り板１０４の第１の側辺１１１が互いに支持されると、ループ面及びフック面が互いに接触される。
【００５６】
上部仕切り板１０３及び下部仕切り板１０４には、対応するベルクロ１１３が設置されて、２つの仕切り板が互いに支持されて起立されると、ベルクロ１１３のループ面とフック面が附着固定されて、２つの仕切り板が起立状態を維持することに有利である。
【００５７】
本実施例では、仕切り板が四角形状に構成されるとともに、仕切り板の４つのコーナーに、それぞれノッチ１１２が設置されて、仕切り板を上部本体１０１及び下部本体１０２内に設置することが便利になる。
【００５８】
本体の側壁接続部位に面取り又はＲ加工が実施され、また、本体の底部にキャスター車輪が設置されると、本体内部の空間を占めるので、仕切り板の４つのコーナーに、それぞれノッチ１１２を設置することにより、スペースのサイズに適応することができる。
【００５９】
本考案によれば、下記のような有益な効果を獲得することができる。即ち、本体内に接続バンドセットを設置するとともに、接続バンドセットにより仕切り板を拘束することで、仕切り板の位置を容易に調整することができ、荷物を収納したり、又は取り出したりするとき下部仕切り板１０４を除去する必要がなくなり、さらに便利になる。上部本体１０１及び下部本体１０２は、回動を介して開閉され、上部仕切り板１０３及び下部仕切り板１０４は、それぞれ接続バンドセットを介して上部本体１０１及び下部本体１０２内に接続され、ユーザーが収納チャンバーから荷物を容易に取り出したり収納したりすることができる。さらに、２つの仕切り板が開いたときに互いに支持されて起立でき、ユーザーがより容易に仕切り板の状態を調節することができる。
【００６０】
（実施例２）
本考案の実施例２は、スーツケースを提供するが、実施例１との相違点は、実施例２の第１のバンドセット及び第２のバンドセットがボタン１１４を介して仕切り板に接続される点である。ボタンによる接続は、より正確でアライメントが容易になる。
【００６１】
別に具体的な説明がない限り、実施例で記述される部品、ステップ、数式、及び数値は、本考案の範囲を限定しない。
【００６２】
本考案の実施例が提供した装置は、その実現原理と生成される技術的効果は、前述した方法の実施例と同じであるので、説明を簡潔にするために、装置の実施例に記載されていない部分は、前述した方法の実施例の相応した内容を参考すればよい。
【００６３】
ここで示され記述されるすべての示例で、いずれの具体的な値は、単に示例的であり、限定的に理解してはいけない。よって、示例的実施例の他の示例は他の値を有することができる。
【００６４】
なお、同一の符号及び文字は、以下の図面で同一の要素を示すので、一旦ある１つの要素が１つの図面で定義されると、以後の図面で改めて定義や解釈しない。
【００６５】
以上は、本考案の好ましい実施例だけであり、本考案を限定するものではない。当業者であれば、本考案について、様々な変更及び変化を行うことができる。本考案の精神及び原則内で行われるいずれの修正、等価的交替、改善などのすべては、本考案の保護範囲内に含まれる。
【符号の説明】
【００６６】
１０１  上部本体
１０２  下部本体
１０３  上部仕切り板
１０４  下部仕切り板
１０５  第１のバンドセット
１０６  第２のバンドセット
１０７  接続段
１０８  第１の側壁
１０９  第２の側壁
１１０  第２の側辺
１１１  第１の側辺
１１２  ノッチ
１１３  ベルクロ
１１４  ボタン
【図１】
0003208054.tif 000003
【図２】
0003208054.tif 000004
【図３】
0003208054.tif 000005
【図４】
0003208054.tif 000006
【図５】
0003208054.tif 000007
【図６】
0003208054.tif 000008
【図７】
0003208054.tif 000009
【手続補正書】
【提出日】平成28年10月20日(2016.10.20)
【手続補正１】
【補正対象書類名】実用新案登録請求の範囲
【補正対象項目名】全文
【補正方法】変更
【補正の内容】
【実用新案登録請求の範囲】
【請求項１】
本体及び仕切り板を備えるスーツケースにおいて、
前記本体は、回動自在に接続されている上部本体と下部本体とを含み、
前記上部本体及び前記下部本体は、囲んで収納チャンバーを形成可能であり、
前記仕切り板は、上部仕切り板及び下部仕切り板を含み、前記上部仕切り板は前記上部本体内に設置され、前記下部仕切り板は前記下部本体内に設置されており、
前記本体が展開された状態で、前記上部仕切り板は前記下部本体に向けて回動可能であり、前記下部仕切り板は前記上部本体に向けて回動可能である、
ことを特徴とするスーツケース。
【請求項２】
前記仕切り板及び前記本体の間は、接続バンドセットを介して接続され、前記接続バンドセットは、２セット有し、それぞれ前記下部本体及び前記上部本体内に接続され、
前記本体は、対向する第１の側壁及び第２の側壁を含み、前記上部本体と前記下部本体との間の回動中心線は、前記第２の側壁に設置され、それぞれの前記接続バンドセットは、第１のバンドセット及び第２のバンドセットを含み、前記仕切り板は、前記第１のバンドセットを介して前記第１の側壁に着脱可能に接続され、前記仕切り板は、前記第２のバンドセットを介して前記第２の側壁に回動接続され、
前記仕切り板の前記第２の側壁から離れる側が第１の側辺であり、前記仕切り板の前記第２の側壁に近い側が第２の側辺であり、
前記第１のバンドセットと前記仕切り板が分離状態になるとき、前記上部仕切り板及び前記下部仕切り板は回動可能であり、前記上部仕切り板の第１の側辺と前記下部仕切り板の第１の側辺は回動過程で互いに支持される、
ことを特徴とする請求項１に記載のスーツケース。
【請求項３】
前記上部仕切り板及び前記下部仕切り板は、それぞれ前記第２のバンドセットと着脱可能に接続される、
ことを特徴とする請求項２に記載のスーツケース。
【請求項４】
前記着脱可能な接続は、面ファスナー接続又はボタン接続である、
ことを特徴とする請求項３に記載のスーツケース。
【請求項５】
前記上部仕切り板及び前記下部仕切り板には、面ファスナーのループ面及びフック面がそれぞれ設けられ、前記上部仕切り板の第１の側辺と前記下部仕切り板の第１の側辺が互いに支持されるとき、前記ループ面と前記フック面が互いに接触される、
ことを特徴とする請求項３に記載のスーツケース。
【請求項６】
それぞれの前記接続バンドセットは接続段をさらに含み、前記第１のベンドセット及び前記第２のバンドセットは、それぞれ前記接続段に接続されるか、又は一体的に成形され、前記接続段は荷物を固定又は押し付けるためのものである、
ことを特徴とする請求項３に記載のスーツケース。
【請求項７】
前記接続段は三角形を呈し、前記三角形の２つの頂点は前記第２の側壁に位置されるとともに、他の１つの頂点は前記第１の側壁に位置され、前記第１のバンドセット及び前記第２のバンドセットは、それぞれ前記頂点で固定される、
ことを特徴とする請求項６に記載のスーツケース。
【請求項８】
前記接続バンドセットは、前記三角形の３つの頂点で前記本体に固定される、
ことを特徴とする請求項７に記載のスーツケース。
【請求項９】
２つの前記接続バンドセットの接続段は、それぞれ前記上部仕切り板と前記上部本体との間、及び前記下部仕切り板と前記下部本体との間に設置される、
ことを特徴とする請求項６に記載のスーツケース。
【請求項１０】
前記仕切り板は四角形を呈し、前記仕切り板の４つのコーナーには、それぞれノッチが設置されている、
ことを特徴とする請求項１に記載のスーツケース。